(57)【要約】【課題】水で希釈して使用することにより、塗れ性が良く、乾燥し易い床水拭き用助剤の提供。【解決手段】下記一般式（Ｉ）、（II）から選ばれる一種以上の非イオン性界面活性剤を有効成分とする床水拭き用助剤。  R1−O−（EO）p−H  （Ｉ）〔式中、R1は直鎖又は分岐鎖の炭素数11〜18のアルキル基等であり、EOはオキシエチレン基、ｐは平均付加モル数が15〜200である。〕  R2−O−（EO）q／（PO）r−H  （II）〔式中、R2は直鎖又は分岐鎖の炭素数11〜18のアルキル基等であり、EOはオキシエチレン基、POはオキシプロピレン基であり、EOとPOはランダム結合でも、ブロック結合でもよく、q、rはそれぞれ平均付加モル数を表し、qは8〜50、rは0.5〜20の数である。〕【選択図】なし【特許請求の範囲】
【請求項１】
（ａ）下記一般式（Ｉ）、（II）から選ばれる一種以上の非イオン性界面活性剤を有効成分とする床水拭き用助剤。
Ｒ1−Ｏ−（ＥＯ）p−Ｈ      （Ｉ）
〔式中、Ｒ1は直鎖又は分岐鎖の炭素数１１〜１８のアルキル基又はアルケニル基であり、ＥＯはオキシエチレン基、ｐは平均付加モル数が１５〜２００である。〕
Ｒ2−Ｏ−（ＥＯ）q／（ＰＯ）r−Ｈ      （II）
〔式中、Ｒ2は直鎖又は分岐鎖の炭素数１１〜１８のアルキル基又はアルケニル基であり、ＥＯはオキシエチレン基、ＰＯはオキシプロピレン基であり、ＥＯとＰＯはランダム結合でも、ブロック結合でもよく、q、rはそれぞれ平均付加モル数を表し、qは８〜５０、rは０．５〜２０の数である。〕
【請求項２】
（ａ）成分である一般式（II）の非イオン性界面活性剤が、下記一般式（II-1）、（II-2）から選ばれる１種以上である請求項１記載の床水拭き用助剤。
Ｒ2−Ｏ−（ＥＯ）s−（ＰＯ）t−Ｈ      （II-1）
〔式中、Ｒ2、ＥＯ、ＰＯは一般式（II）と同じであり、s、tはそれぞれ平均付加モル数を表し、sは８〜５０、tは０．５〜１２の数である。〕
Ｒ2−Ｏ−（ＥＯ）u−（ＰＯ）v−（ＥＯ）w−Ｈ      （II-2）
〔式中、Ｒ2、ＥＯ、ＰＯは一般式（II）と同じであり、u、v、wはそれぞれ平均付加モル数を表し、uは５〜３０、vは０．５〜１２、wは５〜３０の数であり、ｕ+ｗは５０以下である〕
【請求項３】
更に（ｂ）陽イオン性界面活性剤を含有する、請求項１または２記載の床水拭き用助剤。
【請求項４】
（ａ）成分の含有量が０．１〜５．０質量％である請求項１〜３何れかに記載の床水拭き助剤。
【請求項５】
請求項１〜４何れかに記載の床水拭き用助剤と水を含有しており、（ａ）成分の一般式（Ｉ）、（II）から選ばれる１種以上の非イオン性界面活性剤の濃度が５０〜１０００ppmである床水拭き用水。
【請求項６】
（ａ）成分及び（ｂ）成分を下記濃度で含有し、（ｂ）／（ａ）は０．７（質量比）以下である請求項５記載の床水拭き用水。
（ａ）一般式（Ｉ）、（II）から選ばれる１種以上の非イオン性界面活性剤  ４０〜１０００ppm
（ｂ）陽イオン性界面活性剤  ２５〜５００ppm
【請求項７】
請求項５又は６記載の床水拭き用水を用いて床拭きした後、乾燥させる、床の清浄化方法。
【請求項８】
（ａ）下記一般式（Ｉ）、（II）から選ばれる一種以上の非イオン性界面活性剤を含有する、２５℃におけるｐＨが３〜１０である床用洗浄剤組成物。
Ｒ1−Ｏ−（ＥＯ）p−Ｈ      （Ｉ）
〔式中、Ｒ1は直鎖又は分岐鎖の炭素数１１〜１８のアルキル基又はアルケニル基であり、ＥＯはオキシエチレン基、ｐは平均付加モル数が１５〜２００である。〕
Ｒ2−Ｏ−（ＥＯ）q／（ＰＯ）r−Ｈ      （II）
〔式中、Ｒ2は直鎖又は分岐鎖の炭素数１１〜１８のアルキル基又はアルケニル基であり、ＥＯはオキシエチレン基、ＰＯはオキシプロピレン基であり、ＥＯとＰＯはランダム結合でも、ブロック結合でもよく、q、rはそれぞれ平均付加モル数を表し、qは８〜５０、rは０．５〜２０の数である。〕
【請求項９】
更に（ｂ）陽イオン性界面活性剤を含有する、請求項８記載の床用洗浄剤組成物。
【請求項１０】
（ｂ）／（ａ）の質量比が、０．７以下である請求項８又は９に記載の床用洗浄剤組成物。
【請求項１１】
（ａ）成分の含有量が０．１〜５．０質量％である請求項８〜１０何れかに記載の床用洗浄剤組成物。
【請求項１２】
床への適用後そのまま乾燥させることができる、請求項８〜１１何れかに記載の床用洗浄剤組成物。
【請求項１３】
（ｉ）請求項８記載の床用洗浄剤組成物を水で希釈して、床水拭き用水を調製する工程、（ii）床水拭き用水を用いて床拭きする工程、（iii）床を乾燥させる工程、を有する床の清浄化方法。
【請求項１４】
工程（ｉ）において、（ａ）成分の一般式（Ｉ）、（II）から選ばれる１種以上の非イオン性界面活性剤の濃度が５０〜１０００ppmとなるように床用洗浄剤組成物を水で希釈して床水拭き用水を調製する、請求項１３に記載の床の清浄化方法。
【請求項１５】
工程（ii）の後、床水拭き用水を濯ぐことなく工程（iii）を行う、請求項１３又は１４に記載の床の清浄化方法。
【請求項１６】
（ａ）下記一般式（Ｉ）、（II）から選ばれる一種以上の非イオン性界面活性剤を含有する、２５℃におけるｐＨが３〜１０である床用水性仕上げ剤組成物。
Ｒ1−Ｏ−（ＥＯ）p−Ｈ      （Ｉ）
〔式中、Ｒ1は直鎖又は分岐鎖の炭素数１１〜１８のアルキル基又はアルケニル基であり、ＥＯはオキシエチレン基、ｐは平均付加モル数が１５〜２００である。〕
Ｒ2−Ｏ−（ＥＯ）q／（ＰＯ）r−Ｈ      （II）
〔式中、Ｒ2は直鎖又は分岐鎖の炭素数１１〜１８のアルキル基又はアルケニル基であり、ＥＯはオキシエチレン基、ＰＯはオキシプロピレン基であり、ＥＯとＰＯはランダム結合でも、ブロック結合でもよく、q、rはそれぞれ平均付加モル数を表し、qは８〜５０、rは０．５〜２０の数である。〕
【請求項１７】
更に（ｂ）陽イオン性界面活性剤を含有する、請求項１６記載の床用水性仕上げ剤組成物。
【請求項１８】
（ｂ）／（ａ）の質量比が、０．７以下である請求項１７記載の床用水性仕上げ剤組成物。
【請求項１９】
（ａ）成分の含有量が０．１〜５．０質量％である請求項１６〜１８何れかに記載の床用水性仕上げ剤組成物。
【請求項２０】
請求項１６〜１９の何れかに記載の床用水性仕上げ剤組成物と水とを含有し、（ａ）成分の濃度が５０〜１０００ppmであり、且つ２５℃におけるｐＨが３〜１０である水性仕上げ液を、床に適用して床表面を清浄仕上げする、床の清浄仕上げ方法。
【発明の詳細な説明】
【技術分野】
【０００１】
本発明は、床水拭き用助剤とそれを用いた床水拭き用水、前記床水拭き用水を用いた床の清浄化方法に関する。
【背景技術】
【０００２】
一般に床の清掃は、掃除機ないし履き掃除の除去の他に、水拭きが行われる。旧来の日本家屋では雑巾掛けが行われてきた。近年の一般家庭では、床を水拭くこと自体が減りつつあるが、学校をはじめとする公共施設の他、ホテルや劇場のエントランスやロビーでは、美しく装飾された床を保つために、現在でも水拭きが行われる。またインドネシアを初めとする東南アジアの一般家庭では、水拭きによる掃除が日常的に行われている。床水拭き用助剤としては、洗浄力や殺菌を目的とするものが知られている。
【０００３】
特許文献１は、非イオン性界面活性剤と陽イオン性界面活性剤を含有するフロア用液体洗浄剤組成物に関する発明であり、非イオン性界面活性剤としてＨＬＢが９以上、好ましくは１１〜１３のものを用いている。
【０００４】
特許文献２は、非イオン性界面活性剤と陽イオン性界面活性剤を含有する床用洗浄剤組成物が開示されており、段落〔００３１〕には、床清掃専用機器を用いた洗浄作業後、吸水バキューマー等を用いて洗浄汚水を回収した後、水を含ませたモップを用いて床面に残った残留物を拭き取る（水拭き作業）方法が記載されている。
【０００５】
特許文献３は、アルキルポリグリコシド等の非イオン性界面活性剤を含有する硬質表面用洗浄剤組成物が開示されており、段落〔００３４〕には、床洗浄用機器（床用パッドまたは床用ブラシを装着したポリッシャー等）や自動床洗浄機を用いて洗浄作業を実施すること、洗浄作業後は、吸水バキューマー等を用いて洗浄汚水を回収した後、水を含ませたモップを用いて床面に残った残留物を拭き取る（水拭き作業）ことが記載されている。
【特許文献１】特開平３−１８２５９７号公報
【特許文献２】特開２００１−３１１０９３号公報
【特許文献３】特開２００６−１１１７１４号公報
【発明の開示】
【発明が解決しようとする課題】
【０００６】
床を水拭きする際には、水による濡れ性が良いこと、水拭き後に乾燥し易いこと、後拭きが不要なことが望ましい。しかしながら市販されている床用処理剤を含有する水を用いた場合、床表面への濡れ性が悪く、処理後の表面は斑（まだら）になりやすい。この理由として、ワックス掛けによる影響が強い一方で、フロアの基材自体の濡れ性が悪いことが考えられる。
【０００７】
また東南アジアの一般家庭では、殺菌用に陽イオン性界面活性剤を含有する市販品を使用しているため、水だけで処理した場合に比べて、濡れ性が更に悪化する。また日常の使用では、水拭き中、泡立つことは望ましくなく、リンシング（すすぎ洗い）ないし二度拭きを行わないことから、配合成分及び配合濃度は制限される。
【０００８】
本発明は、床面に対する濡れ性が良く、更に水拭き後の乾燥性も良く、後拭きが不要になる、床水拭き用助剤とそれを用いた床用水拭き用水、前記床用水拭き用水を用いた床の清浄化方法を提供することを課題とする。
【課題を解決するための手段】
【０００９】
本発明は課題解決手段として下記（１）〜（４）を提供する。
【００１０】
（１）下記一般式（Ｉ）、（II）から選ばれる一種以上の非イオン性界面活性剤を有効成分とする床水拭き用助剤。
【００１１】
Ｒ1−Ｏ−（ＥＯ）p−Ｈ      （Ｉ）
〔式中、Ｒ1は直鎖又は分岐鎖の炭素数１１〜１８のアルキル基又はアルケニル基であり、ＥＯはオキシエチレン基、ｐは平均付加モル数が１５〜２００である。〕
Ｒ2−Ｏ−（ＥＯ）q／（ＰＯ）r−Ｈ      （II）
〔式中、Ｒ2は直鎖又は分岐鎖の炭素数１１〜１８のアルキル基又はアルケニル基であり、ＥＯはオキシエチレン基、ＰＯはオキシプロピレン基であり、ＥＯとＰＯはランダム結合でも、ブロック結合でもよく、q、rはそれぞれ平均付加モル数を表し、qは８〜５０、rは０．５〜２０の数である。〕
（２）更に（ｂ）陽イオン性界面活性剤を含有してなる、（１）記載の水拭き用助剤。
【００１２】
（３）（１）又は（２）記載の床水拭き用助剤及び水を含有する床水拭き用水。
【００１３】
（４）（３）記載の床水拭き用水を用いて床拭きした後、乾燥させる、床の清浄化方法。
【００１４】
更に、本発明は、他の課題解決手段として、下記（５）〜（６）を提供する。
（５）（ａ）下記一般式（Ｉ）、（II）から選ばれる一種以上の非イオン性界面活性剤を含有する、２５℃におけるｐＨが３〜１０である床用洗浄剤組成物。
Ｒ1−Ｏ−（ＥＯ）p−Ｈ      （Ｉ）
〔式中、Ｒ1は直鎖又は分岐鎖の炭素数１１〜１８のアルキル基又はアルケニル基であり、ＥＯはオキシエチレン基、ｐは平均付加モル数が１５〜２００である。〕
Ｒ2−Ｏ−（ＥＯ）q／（ＰＯ）r−Ｈ      （II）
〔式中、Ｒ2は直鎖又は分岐鎖の炭素数１１〜１８のアルキル基又はアルケニル基であり、ＥＯはオキシエチレン基、ＰＯはオキシプロピレン基であり、ＥＯとＰＯはランダム結合でも、ブロック結合でもよく、q、rはそれぞれ平均付加モル数を表し、qは８〜５０、rは０．５〜２０の数である。〕
【００１５】
（６）（ｉ）（５）の床用洗浄剤組成物を水で希釈して、床水拭き用水を調製する工程、（ii）床水拭き用水を用いて床拭きする工程、（iii）床を乾燥させる工程、を有する床の清浄化方法。
【００１６】
更に、本発明は、他の課題解決手段として、下記（７）〜（８）を提供する。
（７）（ａ）下記一般式（Ｉ）、（II）から選ばれる一種以上の非イオン性界面活性剤を含有する、２５℃におけるｐＨが３〜１０である床用水性仕上げ剤組成物。
Ｒ1−Ｏ−（ＥＯ）p−Ｈ      （Ｉ）
〔式中、Ｒ1は直鎖又は分岐鎖の炭素数１１〜１８のアルキル基又はアルケニル基であり、ＥＯはオキシエチレン基、ｐは平均付加モル数が１５〜２００である。〕
Ｒ2−Ｏ−（ＥＯ）q／（ＰＯ）r−Ｈ      （II）
〔式中、Ｒ2は直鎖又は分岐鎖の炭素数１１〜１８のアルキル基又はアルケニル基であり、ＥＯはオキシエチレン基、ＰＯはオキシプロピレン基であり、ＥＯとＰＯはランダム結合でも、ブロック結合でもよく、q、rはそれぞれ平均付加モル数を表し、qは８〜５０、rは０．５〜２０の数である。〕
【００１７】
（８）（７）の床用水性仕上げ剤組成物と水とを含有し、（ａ）成分の濃度が５０〜１０００ppmであり、且つ２５℃におけるｐＨが３〜１０である水性仕上げ液を、床に適用して床表面を清浄仕上げする、床の清浄仕上げ方法。
【発明の効果】
【００１８】
本発明の床水拭き用助剤は、水で希釈して床水拭き用水として使用したとき、床に対する濡れ性が良いので、容易に床面に対して押し広げることができる。そして、拭いた後はそのまま放置するだけで速やかに乾燥させることができ、後拭きも不要である。
【発明を実施するための最良の形態】
【００１９】
＜床水拭き用助剤＞
本発明の床水拭き用助剤は、（ａ）成分として、下記一般式（Ｉ）、（II）から選ばれる一種以上の非イオン性界面活性剤を有効成分として含有するものである。本発明の床水拭き用助剤は、粉末状でもよく、濃縮液状でもよい。
【００２０】
Ｒ1−Ｏ−（ＥＯ）p−Ｈ      （Ｉ）
〔式中、Ｒ1は直鎖又は分岐鎖の炭素数１１〜１８のアルキル基又はアルケニル基であり、ＥＯはオキシエチレン基、ｐは平均付加モル数が１５〜２００である。〕
Ｒ2−Ｏ−（ＥＯ）q／（ＰＯ）r−Ｈ      （II）
〔式中、Ｒ2は直鎖又は分岐鎖の炭素数１１〜１８のアルキル基又はアルケニル基であり、ＥＯは、上記と同じ意味であり、ＰＯはオキシプロピレン基であり、q、rはそれぞれ平均付加モル数を表し、qは８〜５０、rは０．５〜２０の数である〕。
【００２１】
一般式（Ｉ）の非イオン性界面活性剤は、Ｒ1が異なる炭素数のものの混合物であってもよいし、直鎖と分岐鎖の混合物であってもよい。
【００２２】
一般式（Ｉ）において、Ｒ1は、濡れ性と乾燥性の観点から、炭素数１１〜１８のものが好ましく、炭素数１１〜１３のものがより好ましく、分岐鎖のものが好ましい。
【００２３】
一般式（Ｉ）において、ｐは１５〜２００が好ましく、１５〜５０がより好ましい。一般式（Ｉ）の化合物を洗浄力向上のために配合する場合、ｐが４〜１０のものが好ましい。しかしながら本発明では、十分な濡れ性を得るためにｐが１５以上であり、特にはｐは１８〜５０が好ましい
また、一般式（II）において、Ｒ2は、濡れ性と乾燥性の観点から、炭素数１１〜１８のものが好ましく、炭素数１１〜１３のものがより好ましく、分岐鎖のものが好ましい。
【００２４】
一般式（II）において、ｑは８〜５０が好ましく、８〜２０がより好ましい。またｒは０．３〜２０が好ましく、０．５〜１０がより好ましく、０．５〜５が更に好ましい。
【００２５】
一般式（II）の非イオン性界面活性剤は、下記一般式（II-1）、（II-2）から選ばれる１種以上のものが好ましい。一般式（II-1）、（II-2）において、ＥＯとＰＯはランダム結合でも、ブロック結合でもよい。
【００２６】
Ｒ2−Ｏ−（ＥＯ）s−（ＰＯ）t−Ｈ      （II-1）
〔式中、Ｒ2、ＥＯ、ＰＯは一般式（II）と同じであり、s、tはそれぞれ平均付加モル数を表し、sは８〜５０、tは０．５〜１２の数である。〕
Ｒ2−Ｏ−（ＥＯ）u−（ＰＯ）v−（ＥＯ）w−Ｈ      （II-2）
〔式中、Ｒ2、ＥＯ、ＰＯは一般式（II）と同じであり、u、v、wはそれぞれ平均付加モル数を表し、uは５〜３０、vは０．５〜１２、wは５〜３０の数であり、ｕ+ｗは５０以下である。〕。
【００２７】
一般式（II-1）、（II-2）の非イオン性界面活性剤は、Ｒ2が異なる炭素数のものの混合物であってもよいし、直鎖と分岐鎖の混合物であってもよい。
【００２８】
一般式（II-1）、（II-2）において、Ｒ2は、濡れ性と乾燥性の観点から、炭素数１１〜１８のものが好ましく、炭素数１１〜１３のものがより好ましく、分岐鎖のものが好ましい。
【００２９】
一般式（II-1）において、sは８〜５０が好ましく、８〜１５がより好ましい。tは０．５〜２０が好ましく、０．５〜５が好ましい。
【００３０】
一般式（II-2）において、uは５〜３０が好ましく、５〜１０がより好ましい。vは０．５〜１２が好ましく、０．５〜５がより好ましい。wは０．５〜３０が好ましく、０．５〜１０がより好ましい。なおｕ+ｗは５０以下、好ましくは２０以下である。
【００３１】
ところで、従来の床用の処理剤や洗浄剤には、清潔感を付与するために殺菌剤を配合するものがあり、特に東南アジアなどの素足で生活する地域では好まれて使用されている。そのような殺菌剤としては、陽イオン性界面活性剤が主に用いられている。陽イオン性界面活性剤は床表面の濡れ性を著しく低下させるが、本発明の（ａ）成分を含有する床水拭き用助剤は、陽イオン性界面活性剤を含有する場合でも、優れた濡れ性を発揮する。
【００３２】
従って本発明の床水拭き用助剤は、更に、陽イオン性界面活性剤［（ｂ）成分とする］を含有しても、本発明の課題を解決できる。（ｂ）成分は、モノ長鎖アルキル型第４級アンモニウム塩が好ましく、例えば、下記一般式で示されるものを挙げることができる。
【００３３】
【化１】
2008156607.tif 000002
【００３４】
（式中、Ｒ11は炭素数８〜１８のアルキル基、Ｒ12、Ｒ13はそれぞれ炭素数１〜３のアルキル基、Ｒ14は炭素数１〜３のアルキル基又はベンジル基を表し、Ｘ-は塩素、臭素等の陰イオンを表す。）
好ましくは、アルキル基の炭素数が８〜１８の範囲内である、塩化アルキルベンジルジメチルアンモニウム塩である。
【００３５】
その他、床水拭き用助剤には、（ｃ）増粘剤、（ｄ）香料から選ばれる１種以上を更に配合することができる。（ｃ）成分の増粘剤は、床水拭き助剤の粘性を高めることで、使用者に濃厚なイメージを与え、更に使用時における計量を容易にする。また（ｄ）成分の香料は、使用時、使用後の清潔感、爽快感などを与える。
【００３６】
（ｃ）成分の増粘剤は、セルロース系化合物が好ましく、ヒドロキシメチルセルロース、ヒドロキシエチルセルロース、カルボキシメチルセルロース、それらの塩等を挙げることができ、ヒドロキシエチルセルロースが好ましい。ヒドロキシアルキルセルロースは、２５℃、１％濃度の水溶液が約１００〜5000mPa・sの粘度を有し、アルキル置換度（DS）が０．８〜１．５の範囲にあるものが好適に用いられる。
【００３７】
（ｄ）成分の香料は、単独の香料成分を用いてもよく、複数の香料成分を特定の比率で含有する香料組成物として用いてもよい。香料成分としては、「香料の化学」（赤星亮一著、日本化学会編 産業化学シリーズ，昭和５８年９月１６日発行）、「合成香料 化学と商品知識」（印藤 元一著、化学工業日報社、１９９６年３月６日発行）、「香料と調香の基礎知識」（中島 基貴著、産業図書（株）、１９９５年６月２１日発行）に記載のものを用いることができる。
【００３８】
好ましい香料成分の上位概念として、炭化水素系香料、アルコール系香料、エーテル系香料、アルデヒド系香料、ケトン系香料、エステル系香料、ラクトン系香料、環状ケトン系香料、含窒素系香料を挙げることができる。
【００３９】
その他の成分としては、エチレンジアミン四酢酸塩等のキレート剤、低級アルコール等のハイドロトロープ、アルカノールアミン等のアルカリ剤、（ｂ）成分以外の殺菌剤、色素、及び水等を配合することができる。
【００４０】
本発明の床水拭き用助剤中、上記した（ａ）〜（ｄ）成分、他の成分の含有量は、水に希釈して使用するとき（即ち、床水拭き用水としたとき）に適正濃度になる範囲で調整する。従って、床水拭き用水に希釈する前の床水拭き用助剤としての水の量は任意であるが、前記したように（ｂ）成分は（ａ）成分の効果を濡れ性を低下させる傾向にあるため、（ｂ）／（ａ）は質量比で、０．７以下であり、好ましくは０．０５〜０．７、より好ましくは０．１〜０．６である。殺菌作用のために（ｂ）成分を配合する場合、有効な殺菌性を発揮させるためには０．０５以上の配合が望まれる。なお（ｃ）成分及び（ｄ）成分は、本効果を妨げない程度に（ｃ）成分及び（ｄ）成分の配合により意図される作用を達成するように調整される。
また（ａ）及び（ｂ）以外の界面活性剤を配合は、本効果を低下させる恐れがあり、更には泡が生じて床表面に残る問題があるため、（ａ）成分に対して、（ａ）及び（ｂ）以外の界面活性剤の割合は質量比で、好ましくは１未満、更にはより好ましくは０．５以下、最も好ましくは０．１以下である。
【００４１】
本発明の床水拭き用助剤の使い勝ってのよい構成は次の通りである。本発明では、これを濃縮液型と言う。
【００４２】
床水拭き用助剤中、（ａ）成分の下記一般式（Ｉ）、（II）から選ばれる１種以上の非イオン性界面活性剤の含有量は０．１〜５．０質量％であり、０．５〜４質量％がより好ましく、１〜３質量％が更に好ましい。
【００４３】
本発明の床水拭き用助剤に（ｂ）成分の陽イオン性界面活性剤を含有するときの量は、０．０５〜２．５質量％が好ましく、０．２５〜２．０質量％がより好ましく、０．５〜１．５質量％が更に好ましい。但し（ｂ）／（ａ）の割合は前記比率を充足する。
【００４４】
本発明の床水拭き用助剤に（ｃ）成分の増粘剤を含有するときの量は、２．０質量％以下が好ましく、０．１〜１．５質量％がより好ましく、０．１〜０．６質量％が更に好ましい。
【００４５】
本発明の床水拭き用助剤が（ｄ）成分の香料を含有するときの量は、２．０質量％以下が好ましく０．１〜１．０質量％がより好ましく、０．１〜０．６質量％が更に好ましい。
【００４６】
前記濃縮液型としての床水拭き用助剤に、（ａ）〜（ｄ）成分の以外の成分を含有するときの量は、固形分量として１．０質量％以下が好ましく、０．８質量％以下がより好ましく、０．５質量％以下が更に好ましい。また（ａ）及び（ｂ）以外の界面活性剤は、水拭き用助剤中に好ましくは１質量％以下、より好ましくは０．５質量％以下、最も好ましくは０．１質量％以下である。
【００４７】
床水拭き用助剤のｐＨ（２５℃）は、素手による使用で、皮膚に対するｐＨの影響が懸念される理由から、３〜１０が好ましく、より好ましくは６〜９である。
【００４８】
水を加えて濃縮液型にした床水拭き用助剤は、相分離せず、安定性に優れる以外に、床水拭き用助剤を水道などの生活用水に希釈して使用する際に、増量剤の役割をして容器のキャップなどで計量し易いこと、或いは水に溶け易いことなどから、製品として好ましい剤型である。水を含む濃縮液型にする場合には、貯蔵安定性に影響を与えないようにイオン交換水を用いることが好ましい。
【００４９】
以上述べた床水拭き用助剤に関する知見は、他の課題解決手段として示した前記（５）の床用洗浄剤組成物についても適用できる（その場合、床水拭き用助剤は床用洗浄剤組成物に置き換える）。本発明の床用洗浄剤組成物は、床の洗浄後に、水を用いて床拭きする必要がない。同様に、以上述べた床水拭き用助剤に関する知見は、他の課題解決手段として示した前記（７）の床用水性仕上げ剤組成物についても適用できる（その場合、床水拭き用助剤は床用水性仕上げ剤組成物に置き換える）。
【００５０】
＜床水拭き用水＞
本発明の床水拭き用水は、上記した床水拭き用助剤と水を含有するものである。或いは床水拭き用助剤を生活用水で希釈した使用時のものを指す。（ａ）成分の含有量は４０〜１０００ppm、好ましくは４０〜５００ppm、より好ましくは５０〜３００ppmのものである。
【００５１】
本発明の床水拭き用水が（ｂ）成分の陽イオン性界面活性剤を含有するときの量は、２５〜５００ppmが好ましく、２５〜２５０ppmがより好ましく、２５〜１５０ppmが更に好ましい。なお、（ｂ）／（ａ）の質量比率は、床水拭き用助剤の比率と同様である。
【００５２】
本発明の床水拭き用水が（ｃ）成分の増粘剤を含有するときの量は、１００ppm以下が好ましく、１０〜８０ppmがより好ましく、１０〜５０ppmが更に好ましい。
【００５３】
本発明の床水拭き用水が（ｄ）成分の香料を含有するときの量は、１００ppm以下が好ましく、１０〜８０ppmがより好ましく、１０〜５０ppmが更に好ましい。
本発明の床水拭き用水が、（ａ）〜（ｄ）成分及び水以外の成分を含有するときの量は、固形分量として５０ppm以下が好ましく、４０ppm以下がより好ましく、３０ppm以下が最も好ましい。また（ａ）及び（ｂ）以外の界面活性剤を配合は、（ａ）成分に対して、質量比で好ましくは１未満、更にはより好ましくは０．５以下であり、床水拭き用水中、（ａ）及び（ｂ）以外の界面活性剤は、好ましくは５０ｐｐｍ以下、より好ましくは、２５ｐｐｍ以下、最も好ましくは５ｐｐｍ以下である。
【００５４】
床水拭き用助剤と水を含有する床水拭き用水のｐＨ（２５℃）は、３〜１０が好ましく、より好ましくは６〜９である。
【００５５】
以上述べた床水拭き用水に関する知見は、他の課題解決手段として示した前記（６）の床の清浄化方法で用いる床水拭き用水についても適用できる（その場合、床水拭き用助剤は床用洗浄剤組成物に置き換える）。同様に、以上述べた床水拭き用水に関する知見は、他の課題解決手段として示した前記（８）の床の清浄仕上げ方法で用いる水性仕上げ液についても適用できる（その場合、床水拭き用助剤は床用水性仕上げ剤組成物に、床水拭き用水は水性仕上げ液に、それぞれ置き換える）。
【００５６】
＜床の清浄化方法＞
本発明の床の清浄化方法は、上記した床水拭き用水を用い、通常のモップ、雑巾等で人為的に、或いは床洗浄用機器（床用パッドまたは床用ブラシを装着したポリッシャー等）や自動床洗浄機を用いて機械的に床拭きした後、そのまま乾燥させる方法である。乾燥は、室温または加温した空気を強制的に吹き付けることで達成してもよいが、本発明では床拭きした後、室温で放置するだけで、床に対して十分に速い乾燥が得られる。
【００５７】
本発明の床の清浄化方法においては、床水拭き用水の床面に対する塗れ性が良いため、モップ等で床を拭いたとき、床面に対して床水拭き用水が均一に拡がっていく。よって、拭いた後は乾燥性が良く、後拭きも不要である。このため、他の課題解決手段として示した前記（６）の床の清浄化方法では、工程（ｉ）で調製した床水拭き用水を用いて床拭きする工程（ii）の後、床水拭き用水を濯ぐことなく、床を乾燥させる工程（iii）を行うことができる。また、本発明の方法は、最終的な床の清浄仕上げ処理として行うことができ、前記（８）のように所定の水性仕上げ液を用いて床表面を清浄仕上げする方法に応用できる。以上述べた本発明の方法が適用可能な床としては、硬質表面を有する床、例えば、タイル、合成樹脂系床材、フローリング等の木質系床、石床等が挙げられる。
【実施例】
【００５８】
表１、表２に示す（ａ）成分〔（ａ１）、（ａ２）〕と、（ｂ）〜（ｄ）成分等及び水を混合して、床水拭き用助剤（濃縮液型）を得た。実施例と比較例について、下記の各試験を行った。結果を表１に示す。
【００５９】
１．濡れ性評価方法
表面が清浄な半磁器タイル（ＩＮＡＸ社製ＳＰ-100，10cm×10cm）に対し、各助剤を水で１％になるように稀釈した床水拭き用水〔（ａ）成分の濃度は200ppm〕を0.7ｍｌ/100cm2の割合で滴下し、脱脂綿で全面に塗布した時のタイル表面の濡れ性を評価した。
◎＝タイル全面が均一に濡れる。
〇＝タイルのほぼ全面が均一に濡れるものの、ごく僅かに水弾きあり。
〇△＝タイルの約80-90％が均一に濡れるが、水弾きあり
△＝タイル表面の約50％程度に水弾きあり。
×＝タイル表面の約90％以上に水弾きあり。
【００６０】
２．乾燥速度評価方法
表面が清浄な半磁器タイル（ＩＮＡＸ社製ＳＰ-100，10cm×10cm）に各助剤を水で１％になるように稀釈した床水拭き用水〔（ａ）成分の濃度は200ppm〕を0.7ｍｌ/100cm2の割合で滴下し脱脂面で全面に塗布した時のタイル表面から同水が完全に乾燥するまでの時間(秒)を測定した。水のみをタイルに塗布したときの乾燥時間を１００とし、各配合例の相対乾燥時間求めた。
【００６１】
計算式：相対乾燥時間＝各剤の乾燥時間（秒）／水の乾燥時間（秒）×100
３．ｐＨ
本剤のｐＨは、水酸化ナトリウム及び塩酸により調整した。またｐＨの測定は、JIS Z 8802の7.2（測定方法）の手順により、測定温度は２５℃で行った。
【００６２】
【表１】
2008156607.tif 000003
【００６３】
【表２】
2008156607.tif 000004
【００６４】
（ａ）成分
a1-1：一般式（Ｉ）において、Ｒ1が炭素数１６〜１８の直鎖のアルキル基であり、ｐが１９の非イオン性界面活性剤
a1-2：一般式（Ｉ）において、Ｒ1が炭素数１１〜１３の分岐鎖のアルキル基であり、ｐが３５の非イオン性界面活性剤
a1-3：一般式（Ｉ）において、Ｒ1が炭素数１６〜１８の直鎖のアルキル基であり、ｐが４７の非イオン性界面活性剤
a1-4：一般式（Ｉ）において、Ｒ1が炭素数１１〜１３の分岐鎖のアルキル基であり、ｐが５０の非イオン性界面活性剤
a2-1：一般式（II-2）において、Ｒ2が炭素数１２〜１４の直鎖のアルキル基であり、ｕが５、vが０．５、ｗが５の非イオン性界面活性剤
a2-2：一般式（II-2）において、Ｒ2が炭素数１２〜１４の直鎖のアルキル基であり、ｕが７、ｖが０．５、ｗが７の非イオン性界面活性剤
（ｂ）成分
陽イオン性界面活性剤：化学名  塩化アルキルベンジルジメチルアンモニウム塩(アルキル基の炭素数が12〜16のもの)
（ｃ）成分
セルロース型増粘剤：ヒドロキシエチルセルロースエーテル（商品名  ＨＥＣ-ＳＥ850Ｋ，ダイセル化学工業（株）製）
（その他の成分）
非イオン性界面活性剤１：ポリオキシエチレンラウリルエーテル（オキシエチレン基の平均付加モル数が１２）
非イオン性界面活性剤２：アルキルポリグルコシド（アルキル基の炭素数が１２、１４の直鎖であり、糖縮合度が平均１．３５）
陰イオン性界面活性剤１：アルキル基の炭素数が１２の直鎖アルキルベンゼンスルホン酸ナトリウム
両性界面活性剤１：ラウリルジメチルアミオキシド
両性界面活性剤２：ラウリン酸アミドプロピルスルホベタイン